(57)【要約】【課題】平坦でない場所にも安定して設置することができる梯子を提供する。【解決手段】少なくとも左右一対の長尺状の脚部２と、この左右一対の脚部２に架設したステップ３と、前記脚部２の側面に沿う長尺状の延長脚４と、この延長脚４を前記脚部２に対してスライド自在に保持する保持手段５と、を備え、前記延長脚４には固定用貫通孔40が形成されており、前記固定用貫通孔40に紐状体６を貫通させるとともに、貫通させた前記紐状体６を前記脚部２又は前記ステップ３に巻き付ける又は結び付けることで、前記延長脚４を前記脚部２に対して固定することができるように構成した梯子１とした。【選択図】図１
0003189044.tif 000002
【実用新案登録請求の範囲】
【請求項１】
少なくとも左右一対の長尺状の脚部と、
この左右一対の脚部に架設したステップと、
前記脚部の側面に沿う長尺状の延長脚と、
この延長脚を前記脚部に対してスライド自在に保持する保持手段と、を備え、
前記延長脚には固定用貫通孔が形成されており、
前記固定用貫通孔に紐状体を貫通させるとともに、貫通させた前記紐状体を前記脚部又は前記ステップに巻き付ける又は結び付けることで、前記延長脚を前記脚部に対して固定することができるように構成した、
梯子。
【請求項２】
保持手段は、
脚部の下端部とその上方に設けられており、ステップの方向とは反対側に向かって脚部から突出したフレーム状で、脚部の長手方向に沿って延長脚がスライド自在に貫通するスライド孔を備えており、
固定用貫通孔は、
延長脚の上端部に形成されている、
請求項１記載の梯子。
【考案の詳細な説明】
【技術分野】
【０００１】
本考案は梯子に関する。具体的には、少なくとも左右一対の脚部を有する梯子に関する。
【背景技術】
【０００２】
梯子は、様々な用途に用いられる。例えば、庭作業や壁面塗装工事などの高所作業に用いられている。このような作業を行う場所は、必ずしも平坦であるとは限らない。通常は、地面に凹凸や傾斜があったり、庭石や植え込みなどが存在したりすることが多い。
【考案の概要】
【考案が解決しようとする課題】
【０００３】
このように、平坦でない場所での作業は、梯子の安定性が悪くなり、特に、高所作業においては危険な場合があった。
【０００４】
本考案は、上述の事柄に留意してなされたものであって、平坦でない場所にも安定した状態で設置することができる梯子を提供することを目的とする。
【課題を解決するための手段】
【０００５】
上記課題を解決するために、本考案の梯子は、少なくとも左右一対の長尺状の脚部と、この左右一対の脚部に架設したステップと、前記脚部の側面に沿う長尺状の延長脚と、この延長脚を前記脚部に対してスライド自在に保持する保持手段と、を備え、前記延長脚には固定用貫通孔が形成されており、前記固定用貫通孔に紐状体を貫通させるとともに、貫通させた前記紐状体を前記脚部又は前記ステップに巻き付ける又は結び付けることで、前記延長脚を前記脚部に対して固定することができるように構成した。ここで、「梯子」には、左右一対の長尺状の脚部を二組有する、いわゆる「脚立」（Step Ladder）も含まれる。
【０００６】
この梯子は、地面の凹凸などに合わせて延長脚をスライドさせ、スライドさせた延長脚を脚部に対して固定することで、平坦でない場所にも安定した状態で設置することができる。
また、延長脚が脚部の側面に沿うことから、延長脚の太さや材質などの設計自由度が高くなり、強度を増したり、材料費を抑えたりしやすい。
さらに、延長脚の固定用貫通孔に貫通させた紐状体を脚部又はステップに巻き付けるなどすることにより、延長脚が脚部に対して固定されるため、簡単な構成でありながら延長脚をしっかりと固定することができる。
【０００７】
ここで、保持手段は、脚部の下端部とその上方に設けられており、ステップの方向とは反対側に向かって脚部から突出したフレーム状で、脚部の長手方向に沿って延長脚がスライド自在に貫通するスライド孔を備えており、固定用貫通孔は、延長脚の上端部に形成されている梯子とすることができる。
【０００８】
この梯子は、保持手段が、脚部の下端部とその上方に設けられており、かつ、固定用貫通孔が、延長脚の上端部に形成されていることで、より一層、延長脚をしっかりと固定することができる。
【考案の効果】
【０００９】
本考案により、平らでない場所にも安定した状態で設置することができる梯子を提供することができる。
【図面の簡単な説明】
【００１０】
【図１】梯子の斜視図（写真）である。
【図２】延長脚を取り外した状態の保持手段を示す拡大斜視図（写真）である。
【図３】延長脚を固定した状態を例示する拡大斜視図（写真）である。
【考案を実施するための形態】
【００１１】
以下、図を用いて梯子を例示説明する。本実施形態の梯子は、脚部と、ステップと、延長脚と、保持手段と、を備えており、さらに紐状体も備える。なお、図１において、前側の部材にのみ符号を付し、後ろ側の各部材の符号を省略してある。また、図１において、説明の都合上、手前側の延長脚の固定用貫通孔には紐状体を貫通させていない。
以下、各構成要素について説明するが、以下の実施形態はあくまで本考案を例示説明するものであって、本考案は、以下の具体的な実施形態に限定されるものではない。
【００１２】
［脚部］
脚部２は、長尺状であり、少なくとも左右一対が存在する。
【００１３】
本実施形態では、図１に示すように、左右一対の脚部２が前後二組存在する（脚部２は全四脚）。本実施形態では、断面四角形の中空角パイプ状の長尺材料を用いて脚部２を構成している。
【００１４】
［ステップ］
ステップ３（踏み桟）は、左右一対の脚部２に架設される。通常は、複数個のステップ３が上下方向に並んだ状態で、左右一対の脚部２に架設される。
【００１５】
本実施形態では、図１に示すように、前後二組の脚部２それぞれに３段（最上段を含む）のステップ３が架設されている。ステップ３の形状は、板状や柱状など種々の形状とすることができる。
【００１６】
［延長脚］
延長脚４は、長尺状であり、脚部２の側面に沿うように取付けられる。
【００１７】
本実施形態では、図１に示すように、延長脚４の長さが、脚部２の長さの概ね７０％となっている。このように長尺な延長脚４を用いることで、長さ調節範囲が広がるとともに、後述するように延長脚４を脚部２に対して固定した際の安定性が向上する。延長脚４の長さは、脚部２の長さの５０〜１００％とすることが好ましく、６０〜９０％とすることが更に好ましい。
【００１８】
そして、延長脚４は、前後二対の脚部２それぞれの、外側面（ステップ３の方向とは反対側の面）に沿うように、全ての脚部２に取付けられている。本実施形態では、断面四角形の木材を用いて延長脚４を構成している。
【００１９】
また、延長脚４には固定用貫通孔40が形成される。
【００２０】
本実施形態では、図１に示すように、延長脚４の上端部に、前後方向に貫通する固定用貫通孔40が形成されている。固定用貫通孔40の大きさは、後述する紐状体６を通すことができる程度の大きさである。
【００２１】
［保持手段］
保持手段５は、延長脚４を脚部２に対してスライド自在に保持するものである。
【００２２】
本実施形態では、図１に示すように、保持手段５は、脚部２の長手方向中央よりも下側の位置に二カ所設けてある。より具体的には、保持手段５は、脚部２の下端部に一カ所と、その上方で脚部２の長手方向中央よりも下側の位置に一カ所の、合計二カ所に設けてある。
【００２３】
そして、各保持手段５は、図２に示すように、ステップ３の方向とは反対側に向かって脚部２から突出したフレーム状であり、フレームの内側がスライド孔50となっている。フレームは平面視が略コの字状であり、スライド孔50は延長脚４の断面形状よりも若干大きな四角形状である。
【００２４】
このスライド孔50は、脚部２の長手方向に向かって開孔しており、延長脚４が脚部２の長手方向に沿ってスライド自在に貫通する。
【００２５】
各延長脚４は、それぞれが独立して、脚部２の長手方向に沿ってスライドするように構成されている。
【００２６】
［紐状体］
紐状体６は、延長脚４を脚部２に対して固定するためのもの（固定手段）である。
【００２７】
紐状体６としては、ある程度の長さがありフレキシブルであれば、特に素材は限定されない。しかし、強度やコストを考量すると、いわゆるロープを用いることが好ましい。
【００２８】
紐状体６を用いて、延長脚４を脚部２に対して固定するためには、固定用貫通孔40に紐状体６を貫通させるとともに、貫通させた紐状体６を脚部２又はステップ３に巻き付ける又は結び付ければよい（図３参照）。このとき、ステップ３に巻き付ける又は結び付ければ、延長脚４が上方にスライドしにくくなるため、好ましい。
【００２９】
上記構成の梯子１は、簡単な構成でありながら、延長脚４をしっかりと固定することができ、平坦でない場所にも安定した状態でしっかりと設置することができるのである。
【００３０】
以上、特定の実施形態を参照して本考案を説明したが、本考案は上記実施形態に限定されるものではなく、当該技術分野における熟練者等により、本出願の願書に添付された実用新案登録請求の範囲から逸脱することなく、種々の変更及び修正が可能である。
【００３１】
例えば、上記実施形態では、左右一対の脚部を前後二組備えた梯子を用いて説明したが、これに限定されず、左右一対の脚部を一組だけ備えた梯子でもよい。この場合、脚部は二脚となる。
【００３２】
また、上記実施形態では、断面四角形の木材を用いて延長脚を構成したが、これに限定されず、他の材料、例えば、アルミ角柱などを用いてもよい。しかし、コストを考慮すると、木材を用いることが好ましい。
【００３３】
また、上記実施形態では、保持手段を、一つの脚部（一脚）あたり二カ所設けたが、これに限定されず、二カ所以上設けてもよい。しかし、コストを考慮すると二カ所設けることが好ましい。
【００３４】
また、保持手段を一つだけ設けることもできる。この場合は、保持手段の長さ（脚部に沿う長さ）をトンネル状に長くして、脚部の下端部に設けることが好ましい。
【００３５】
なお、例えば図１の梯子を複数個（例えば二個）並べて、適当な高さのステップ間に厚板を渡せば橋脚の役目をなし、厚板上を移動しながら作業ができ、簡単な足場として利用できる。
【符号の説明】
【００３６】
１  梯子
２  脚部
３  ステップ
４  延長脚
40  固定用貫通孔
５  保持手段
50  スライド孔
６  紐状体
【図１】
0003189044.tif 000003
【図２】
0003189044.tif 000004
【図３】
0003189044.tif 000005